(57)【要約】【課題】用紙反転装置への紙通しを折れやシワが発生することなく容易に行うことができるようにする。  【解決手段】ターンバーを用いた用紙反転装置１において、ターンバー４，５の用紙巻き掛け面に対向する位置に、この用紙巻き掛け面を半円形状にカバーする用紙案内カバー７，８を、用紙３が通る隙間をあけて設け、この用紙案内カバーの内側に空気を供給するようにした。【選択図】図１
2005225656.tif 000002
【特許請求の範囲】
【請求項１】
ターンバーを用いた用紙反転装置において、
ターンバーの用紙巻き掛け面に対向する位置に、この用紙巻き掛け面を半円形状にカバーする用紙案内カバーを、用紙が通る隙間をあけて設けた
ことを特徴とする用紙反転装置。
【請求項２】
用紙案内カバーの用紙走行方向上流側に空気室を設け、この空気室よりの空気を用紙案内カバーの内側へ供給するようにしたことを特徴とする用紙反転装置。
【発明の詳細な説明】
【技術分野】
【０００１】
本発明は、インクジェット記録装置の紙通し経路に用いられて、紙通しされる用紙をターンバーを用いて反転する用紙反転装置に関するものである。
【背景技術】
【０００２】
インクジェット記録装置等の紙通し経路に用紙を紙通しする方法としては、用紙の先端を手に持って、この用紙を上記経路に沿って引っぱる手動紙通し方法と、インクジェット記録装置の紙通し経路に沿って移動可能にした機械的に行う方法とがある（例えば、特許文献１及び特許文献２参照）。
【０００３】
【特許文献１】実公昭４５−３３９００号公報
【特許文献２】実開平４−９７７５３号公報
【発明の開示】
【発明が解決しようとする課題】
【０００４】
紙通し経路に手でもって用紙を案内して紙通しする場合、用紙反転装置部での走行方向を転じるところでは、常に用紙がターンバーに接触した状態で案内されれば用紙折れやシワの発生を防止できて問題なく紙通しすることができるが、片手で機械のスイッチ操作をしながらの手作業であるので、用紙をターンバーから離さないようにするための注意とともに労力を必要とし困難な作業であった。
【０００５】
また、紙通し装置を用いて、用紙の先端部をワイヤやベルトで牽引して案内する場合、用紙がターンバーの円周に沿ってその走行方向を転じるときに、このターンバーに沿う部分の内側部分と外側部分の全面のうち、一部に案内部材により案内されていない部分があると、その部分のみ用紙の走行方向が規制されないため、この部分と案内されている部分との境目に折れを生じやすく、一度折れが発生したときには、それを矯正しない限り連鎖的にシワが発生し、また紙切れなどの不具合が発生し、その後の紙通し作業が困難になってしまう。
【課題を解決するための手段】
【０００６】
本発明は上記した従来の課題を解決するためになされたもので、その構成は、ターンバーを用いた用紙反転装置において、ターンバーの用紙巻き掛け面に対向する位置に、この用紙巻き掛け面を半円形状にカバーする用紙案内カバーを、用紙が通る隙間をあけて設けた構成になっている。
【０００７】
そして上記構成において、用紙案内カバーの用紙走行方向上流側に空気室を設け、この空気室よりの空気を用紙案内カバーの内側へ供給するようにした構成になっている。
【発明の効果】
【０００８】
本発明によれば、用紙反転装置のターンバーへの紙通し時の用紙は、ターンバーの用紙巻き掛け面と用紙案内カバーの間の隙間を通るため、このときの用紙はこの隙間に案内され、用紙反転装置部への紙通し時に、用紙に折れやシワが発生するのを防止でき、用紙折れの矯正作業が不要であることや、シワの発生に起因して起こる用紙切れもなく、失敗することなく、容易にかつ短時間で紙通し作業を行うことができる。
【０００９】
そして、上記したように失敗することなく確実に紙通しを行うことができることにより、紙切れによる用紙のつなぎ直しで損紙を出すことやその作業時間の損失もなく、作業効率をよくすることができる。
【００１０】
また、用紙案内カバーの内側に空気が供給されることにより、用紙案内カバーの内側を案内する用紙の紙通しをより容易に行うことができる。
【発明を実施するための最良の形態】
【００１１】
本発明の実施の形態を図面に基づいて説明する。図１は用紙反転装置１に自動紙通し装置のワイヤ２を張りめぐらせた状態を示し、図２はこのワイヤ２にて用紙３を用紙反転装置１に紙通ししている状態を示す。
【００１２】
図示した用紙反転装置１はこの種の装置の一例で、用紙３の同一方向への走行途中で、これを表裏反転するようにしたものを示すもので、２本（第１・第２）のターンバー４，５を直角に交差し、１本の張り出しローラー６を、この用紙反転装置１に進入する用紙３の走行方向と平行に配置した構成になっている。
【００１３】
そして、この装置における紙通し装置のワイヤ２は、用紙３を図２に示すように紙通しするように、すなわち走行方向上流からの用紙３を、第１のターンバー４の上側から張り出しローラー６の下側へ向けて巻き掛け、張り出しローラー６では上側から第２のターンバー５へ向けて反転させ、第２のターンバー５ではこれを上側から用紙３の走行方向下流側へ向けて巻き掛けるように張設されている。
【００１４】
２ａは上記ワイヤ２に設けたアタッチメントで、これに用紙３の先端をクリップしてワイヤ２を走行させることにより用紙３が図２に示すように牽引されて紙通しされる。
【００１５】
上記した第１・第２のターンバー４，５及び張り出しローラー６は図示しないフレームに支持されている。そして第１・第２のターンバー４，５の用紙巻き掛け面側の半周面に対向する位置に、この半周面をカバーする用紙案内カバー７，８がフレームに固定して設けてある。
【００１６】
この用紙案内カバー７，８は、図３に示すように、ターンバー４，５の用紙巻き掛け面に対向する部分が、ターンバー４，５の外周面に対して用紙３の厚さよりわずかに大きい、ある一定の隙間があく寸法の半径を有する半円形状に形成されている。そして、この半円形部の両側は、ターンバー４，５に巻き掛けられる用紙３と平行になっている。
【００１７】
上記した用紙案内カバー７，８の用紙３の上流側の平行部７ａ，８ａに、これの長手方向にわたってエアー室９が設けてある。そして、このエアー室９の下部には用紙案内カバー７，８の内側へ向けられた孔１０が設けてある。１１はこのエアー室９に所定圧力の空気を供給するエアー供給管である。
【００１８】
上記構成において、用紙反転装置１への紙通しは、紙通し装置のワイヤ２を用いて、あるいは紙通し装置を備えていない場合には手動操作により行われる。
【００１９】
そしてこの紙通し時において、用紙反転装置１のターンバー４，５に巻き掛けられる用紙３は、ターンバー４，５の巻き掛け面とこれに対向する用紙案内カバー７，８との間の隙間を通り、これの内側がターンバー４，５により、外側が用紙案内カバー７，８にそれぞれ案内される。
【００２０】
このとき、上記隙間が用紙３の厚さよりわずかに大きい程度の寸法になっていることにより、この隙間を通る用紙３は無駄な動きをせずにスムーズに通り抜けられる。すなわち、ターンバー４，５の巻き掛け部を通る用紙３は、ターンバー４，５に対する巻き掛け範囲の全面にわたって一様に規制され、用紙３に、これの走行方向のくい違いによる折れが生じるのが防止される。
【００２１】
また、この紙通し時において、エアー室９へ空気を供給すると、このエアー室９の空気が、孔１０よりターンバー４，５に巻き掛けられる用紙３の表面に供給される。そしてこの空気は用紙の走行に従って、これの走行方向に沿ったエアー流となり、ターンバー４，５を通る用紙３は上記した用紙案内カバー７，８による作用と共に、このエアー流により案内される。
【００２２】
上記した実施の形態では、２本のターンバー４，５と１本の張り出しローラー６を用いた表裏反転用のもので説明したが、図４に示すように１本のターンバーを用いたもの（ａ図）、２本のターンバーを平行に用いたもの（ｂ図）、２本のターンバーを山形に配置したもの（ｃ図）等、種々の用紙反転装置に適用される。
【図面の簡単な説明】
【００２３】
【図１】紙通し前の用紙反転装置を示す概略的な構成説明図である。
【図２】紙通し中の用紙反転装置を示す概略的な構成説明図である。
【図３】図２のＡ−Ａ矢視断面拡大図である。
【図４】（ａ），（ｂ），（ｃ）は用紙反転装置の他例を示す説明図である。
【符号の説明】
【００２４】
１…用紙反転装置、２…ワイヤ、３…用紙、４，５…ターンバー、６…張り出しローラー、７，８…用紙案内カバー、９…エアー室、１０…孔、１１…エアー供給管。
【図１】
2005225656.tif 000003
【図２】
2005225656.tif 000004
【図３】
2005225656.tif 000005
【図４】
2005225656.tif 000006